(57)【特許請求の範囲】
【請求項１】
樹脂製の基台には、複数本の消火器を収容するための孔を備える構造とし、この孔に複数本の消火器を搭載した状態で装備し、また、この基台には、取付手段を設ける構造とすることで、搬送台車にセットし、火災現場に搬送した後に、前記複数本の消火器を取外し、一人、又は複数人で消火ができる消火器の基台において、
前記孔の深さ方向を傾斜する構造とし、この傾斜が前記搬送台車の押手の方向に傾いている構成とした消火器の基台。
【請求項２】
請求項１に記載の消火器の基台であって、
前記基台には、バケツを収容するための孔を備える構成とした消火器の基台。
【請求項３】
請求項１に記載の消火器の基台であって、
前記基台に設けた孔は、二段、又は複数段の孔寸法とする構造であり、一段の孔寸法を、小径とし、二段の孔寸法を、大径とするが如く、各段の孔寸法を異にする構成とした消火器の基台。
【請求項４】
請求項１に記載の消火器の基台であって、
前記取付手段は、複数のベルトとする構成とした消火器の基台。
【請求項５】
請求項４に記載の消火器の基台であって、
前記取付手段は、ベルトと止め具との組合せ構造とする構成とした消火器の基台。
【請求項６】
請求項１に記載の消火器の基台であって、
前記基台にキャスターを設ける構成とした消火器の基台。
【発明の詳細な説明】
【技術分野】
【０００１】
本発明は、消火器の基台に関する。
【背景技術】
【０００２】
初期消火の効果を発揮する基本的なことは、出火の初期段階で火事を消し止めることであり、例えば、屋内の出火の場合は、天井に燃え移ると消火が困難になるため、床などが燃えているうちに、また、ふすま・カーテンに燃え移ってすぐに火を消し止めることである。そのための簡易で、効果がある方法は、数人で一気に消火するか、又は短時間に消火すること、或いは間髪を要れず消火すること、等が望ましい。また、大型の一基（一本）の移動できる消火器も有効であるが、誤操作（不慣れの場合には、操作を誤ったり、又はホースが踊り、消火剤が飛散され、使用できない状況となること、等の問題を抱えている）、又は故障等の際には、万事休すであり、その改良が望まれる。
【０００３】
以上のことから、大型の一基の消火器より、複数本の消火器を搬送できる構造が望ましいことが理解できる。しかし、このように複数本の消火器を搬送できる先行文献としては、次に挙げる数件があるが、これらは、本数も少なく、初期消火の目的を達成できるとは考えられない。また、本発明の如く、少なくとも、六本以上の消火器を搬送する構造とは、目的と、その消火効果が相違する。即ち、初期消火の効果を発揮するには、必ずしも、十分とは云えない処である。また、本発明が主眼とする、消火器専用としての使用、或いは、通常の使用並びに保管に関しても、本質的に異なることから、市場の要求に応え得るとは、考えられない処である。
【０００４】
文献１は、実開昭６３−６８３６６号公報の考案である。この考案は、キャスターと一体の基板に、屑籠、水タンクと、消火器、吸殻入れをセットする構造であるが、消火用としては十分でない。また、文献２は、特開平５−３９３０号公報の発明では、この発明は、キャスターと一体の固定枠に、複数本の消火器をセットする構造であるが、収容を考慮して、消火器の本数を制約するものであり、初期消火を考慮した場合に、問題である。さらに、文献３は、実開平７−１３８０９号公報がある。文献１と同じ考案であり、かつ同じ問題を抱えていると考えられる。
【０００５】
【特許文献１】実開昭６３−６８３６６号公報
【特許文献２】特開平５−３９３０号公報
【特許文献３】実開平７−１３８０９号公報
【発明の概要】
【発明が解決しようとする課題】
【０００６】
前述した先行技術と文献１−３においては、初期消火に必要とされる複数本の消火器をセットする構造でなく、かつこの複数本の消火器を、火災現場に搬送する構造でない。従って、目的とする、初期消火を図るには、十分でない。また、通常時における収容の簡易性・簡便化を図りつつ、火災時には、搬送台車に確実、かつ簡易にセットするには、構造上で問題である。
【０００７】
そこで、本発明は、初期消火を確実に達成できる、消火器の本数を確保しつつ、消火器専用としての使用が図れる消火器の基台、又は通常の使用並びに保管に関して、簡易性・簡便化が図れる消火器の基台の提供を意図する。また、本発明が主眼とする、消火器専用としての使用、或いは、通常の使用並びに保管に関し、市場の要求に応え得る消火器の基台の提供を意図する。
【課題を解決するための手段】
【０００８】
以上の本発明の目的を達成する、最適で、かつ有益な消火器の基台を提供することを意図するとともに、この消火器の基台としての個々の構造を提供とする。そのために、各請求項では、下記の構造を提案する。
【０００９】
請求項１の発明の提案は、樹脂製の基台には、複数本の消火器を収容する（搭載する、又は納める）ための孔を備える構造とし、この孔に複数本の消火器を搭載した状態で装備し、また、この基台には、取付手段を設ける構造とすることで、搬送台車にセットし、火災現場に搬送した後に、前記複数本の消火器を取外し、一人、又は複数人で消火ができる消火器の基台において、前記孔の深さ方向を傾斜する構造とし、この傾斜が前記搬送台車の押手の方向に傾いている構成とした消火器の基台である。
【００１０】
また、請求項２の発明の提案は、請求項１に記載の消火器の基台であって、
前記基台には、バケツを収容するための孔を備える構成とした消火器の基台である。
【００１１】
さらに、請求項３の発明の提案は、請求項１に記載の消火器の基台であって、
前記基台に設けた孔は、二段、又は複数段の孔寸法とする構造であり、一段の孔寸法を、小径とし、二段の孔寸法を、大径とするが如く、各段の孔寸法を異にする構成とした消火器の基台である。
【００１２】
請求項４の発明の提案は、請求項１に記載の消火器の基台であって、
前記取付手段は、複数のベルトとする構成とした消火器の基台である。
【００１３】
また、請求項５の発明の提案は、請求項４に記載の消火器の基台であって、
前記取付手段は、ベルトと止め具との組合せ構造とする構成とした消火器の基台である。
【００１４】
そして、請求項６の発明の提案は、請求項１に記載の消火器の基台であって、
前記基台にキャスターを設ける構成とした消火器の基台である。
【発明の効果】
【００１５】
請求項１の発明は、樹脂製の基台には、複数本の消火器を収容するための孔を備える構造とし、孔に複数本の消火器を搭載した状態で装備し、また、基台には、取付手段を設ける構造とすることで、搬送台車にセットし、火災現場に搬送した後に、複数本の消火器を取外し、一人、又は複数人で消火ができる構成とした消火器の基台とすることで、本発明の目的を達成でき、かつ消火器の基台を提供できる特徴があるとともに、この消火器の基台としての個々の構造を提供できる特徴がある。また、一基の消火器が故障、又は誤操作した場合でも、多数の消火器から、必要とする、少なくとも、六本以上の消火器を使用でき、初期消火に最適である。さらに、孔の深さ方向を傾斜する構造とし、傾斜が搬送台車の押手の方向に傾いている構成としたので、搬送中に消火器が倒れることを防止できる。
【００１６】
また、請求項２の発明は、請求項１に記載の消火器の基台であって、
基台には、バケツを収容するための孔を備える構成とした消火器の基台とすることで、請求項１に記載の目的を達成するに最適な基台を提供できる特徴がある。
【００１７】
さらに、請求項３の発明は、請求項１に記載の消火器の基台であって、
基台に設けた孔は、二段、又は複数段の孔寸法とする構造であり、一段の孔寸法を、小径とし、二段の孔寸法を、大径とするが如く、各段の孔寸法を異にする構成とした消火器の基台とすることで、請求項１に記載の目的を達成するに最適な基台を提供できる特徴がある。
【００１８】
請求項４の発明は、請求項１に記載の消火器の基台であって、
取付手段は、複数のベルトとする構成とした消火器の基台とすることで、請求項１に記載の目的を達成するに最適で、かつ安定した基台を提供できる特徴がある。
【００１９】
また、請求項５の発明は、請求項４に記載の消火器の基台であって、
取付手段は、ベルトと止め具との組合せ構造とする構成とした消火器の基台とすることで、請求項１に記載の目的を達成するに、極めて最適で、安定した基台を提供できる特徴がある。
【００２０】
そして、請求項６の発明は、請求項１に記載の消火器の基台であって、
基台にキャスターを設ける構成とした消火器の基台の構造とすることで、請求項１に記載の目的を達成するに最適な基台を提供できる特徴がある。
【図面の簡単な説明】
【００２１】
【図１】第一実施例の基台の平面図
【図２】図１に示した基台の正面図
【図３】図１に示した基台の側面図
【図４】図１に示した基台の斜視図
【図５】第一実施例の使用状態であって、同じ大きさの消火器をセットした斜視図
【図６】第一実施例の他の使用状態であって、大小の消火器をセットした斜視図
【図７】第二実施例の基台の斜視図
【図８】第二実施例の使用状態を示した斜視図
【図９】第一実施例の基台の室内への収容状態を示した斜視図
【図１０】第三実施例の基台の平面図
【図１１】図１０に示した基台の正面図
【図１２】図１０に示した基台の側面図
【図１３】図１０に示した基台の斜視図
【図１４】第四実施例の基台の平面図
【図１５】図１４に示した基台の正面図
【図１６】図１４に示した基台の側面図
【図１７】図１４に示した基台の斜視図
【図１８】基台にキャスターを設けた一例の斜視図
【発明を実施するための形態】
【００２２】
以下、本発明の好ましい各実施例を説明するが、一例であり、この各実施例に限定されないことと、本発明の趣旨に含まれる他の構造とか、その他の実施例も、本発明に含まれる。
【００２３】
図１〜図６に示した第一実施例では、基台１は、薄形方形状でなり、その素材は、発泡樹脂、その他の樹脂等の成形品、又はアルミ、ステンレス等の成形品、或いは木製等でなり、搬送に便利で、また、難燃性、軽量化に特化した構造とする。
【００２４】
この基台１には、消火器２、２ａを立設できる多数個の孔３、３、３・・・（３とする）を設ける。この孔３は、この第一実施例と、後述する第三実施例では、二段式の孔径３００、３０１を有する構造とし、径の異なる消火器２、２ａを収容（搭載等）可能とする。この孔３の深さは、消火器２、２ａの立設に有効な深さを有する構造である。従って、孔３には、図示しないが、孔３は、一方向に傾斜する構造、例えば、走行方向と反対方向（搬送台車の押手の方向）に傾いた構造とし、この立設状態を確実にする。その他として、例えば、孔３の周辺の一部に、競上がった壁片を設ける構造とし、同じ効果を確保する構造とかが考えられる。また、この孔３の孔径３００を、太径とした構造では、太径の消火器２が収容される。この状態を、図５に示している。また、孔３の孔３０１を、細径とした構造では、細径の消火器２ａが収容される。この状態を、図６の一部に示している。このように、二段の孔３では、少なくとも、太細径の消火器２、２ａを収容可能である。また、図示しないが、三段の孔３では、太細径の消火器２、２ａの他に図示しない中径の消火器を収容可能である。
【００２５】
この基台１には緊締用のベルト５、６が設けられており、キャスター７付きの搬送台車８（キャスター等の台車）に取付けられる。即ち、搬送台車８の平面８ａに基台１の底面を載架し、そのスタンド８ｂに基台１の後面を、それぞれ当接した状態で、ベルト５、６を緊締する。従って、緊急時において、瞬時に搬送台車８に基台１と、複数本の消火器２、及び／又は消火器２ａを収容できるので、初期消火には、極めて、有益である。
【００２６】
図７、図８に示した第二実施例では、前記基台１は、二段の孔３と、一個又は数個のバケツ１０用の孔３０を設けた構造であり、その使用と、基台１、ベルト５、６等の使用は、前述の第一実施例に準ずる。この孔３０にバケツ１０を収容する。
【００２７】
図９は、基台１と、複数本の消火器２とを室内の隅に載置した状態で、搬送台車８に載置する過程を示した一例である。この搬送台車８のスタンド８ｂを把持して移動し、火災現場に消火器２等を搬送する。
【００２８】
また、図１０〜図１３に示した第三実施例では、ベルト６と、複数本の止め具１１とを利用して、基台１を搬送台車８に取付ける構造である。この止め具１１は、基台１から搬送台車８に貫設する長さの本体杆１１ａと、この本体杆１１ａの下端に設けた鍵部１１ｂと、また、この本体杆１１ａの上端に設けた摘み１１ｃとで構成する。この摘み１１ｃを操作して、鍵部１１ｂを搬送台車８の底面に係止することで、この基台１の浮上がり、又は移動を制御する。尚、ベルト６の緊締は前述の例に準ずる。その他は、第一実施例に準ずる。
以上
【００２９】
そして、図１４〜図１７に示した第四実施例では、一段の孔３１であり、同じ径でなる一段の孔３１であり、例えば、消火器２、２ａに準じた孔径３００・３０１等となっている。即ち、消火器２、２ａが収容できる寸法である。そして、この第四実施例では、基台１には、搬送台車８に嵌合されるフック１２を複数個設けるとともに、この各フック１２に設けた、それぞれの止め具１３を利用して、搬送台車８に緊締する構造である。この構造は、確実に搬送台車８の台板８ｃに基台１を固定できる特徴がある。
【００３０】
図中１４は基台１の、例えば、側面壁に設けた持ち手で、この持ち手１４を利用して、基台１等を、搬送台車８の台板８ｃに搭載する構造である。
【００３１】
そして、図１８は、基台１にキャスター７を付設した構造であり、この基台１を搬送台車８の代替品とする。
【符号の説明】
【００３２】
１          基台
２          消火器
２ａ        消火器
３          孔
３０        孔
３００      孔径
３０１      孔径
５          ベルト
６          ベルト
７          キャスター
８          搬送台車
８ａ        平面
８ｂ        スタンド
８ｃ        台板
１０        バケツ
１１        止め具
１１ａ      本体杆
１１ｂ      鍵部
１１ｃ      摘み
１２        フック
１３        止め具
１４        持ち手
【図１】
0005589233.tif 000002
【図２】
0005589233.tif 000003
【図３】
0005589233.tif 000004
【図４】
0005589233.tif 000005
【図５】
0005589233.tif 000006
【図６】
0005589233.tif 000007
【図７】
0005589233.tif 000008
【図８】
0005589233.tif 000009
【図９】
0005589233.tif 000010
【図１０】
0005589233.tif 000011
【図１１】
0005589233.tif 000012
【図１２】
0005589233.tif 000013
【図１３】
0005589233.tif 000014
【図１４】
0005589233.tif 000015
【図１５】
0005589233.tif 000016
【図１６】
0005589233.tif 000017
【図１７】
0005589233.tif 000018
【図１８】
0005589233.tif 000019